(57)【要約】【課題】制御に用いる電極先端電圧を適切に検出し、溶接性能の更なる向上に寄与することができる溶接用電源装置を提供する。【解決手段】測定モードにおいて、電源装置の出力側の合計抵抗値及び合計インダクタンス値が算出され、これら抵抗値、インダクタンス値とともに、短絡中の所定期間Ｔａ，Ｔｂに主電路上に介挿される抵抗の抵抗値ｒが制御装置内に保持される。制御装置は、溶接動作時において、短絡中の所定期間Ｔａ，Ｔｂ以外の期間では、検出する出力電圧の電圧値に対して合計抵抗値及び合計インダクタンス値にかかる電圧変化分の補正を行って先端電圧の算出を行い、抵抗介挿期間である短絡中の所定期間Ｔａ，Ｔｂでは、検出する出力電圧の電圧値に対して合計抵抗値及び合計インダクタンス値に加え、同期間Ｔａ，Ｔｂに介挿される抵抗の抵抗値ｒを含む電圧変化分の補正を行って先端電圧の算出を行う。【選択図】図２
2012101231.tif 000002
【特許請求の範囲】
【請求項１】
直流電力を高周波交流電力に変換するインバータ回路と、変換した交流電力の電圧調整を行う溶接トランスと、該溶接トランスの二次側交流電力から溶接に適した直流出力電力を生成する直流変換手段とを備え、生成した前記出力電力の電極への供給に基づいて溶接対象との間に溶接のためのアークを生じさせるものであり、出力電流を急峻に減少させるべく主電路上に抵抗を介挿するように切り替える切替手段と、装置内の検出手段にて検出した出力電流と出力電圧とに基づいて前記電極の先端電圧を算出し、算出した先端電圧に基づいて前記インバータ回路を制御する制御手段とを更に備えた溶接用電源装置であって、
前記電極を短絡状態として行われ、前記インバータ回路の動作にて生じる前記出力電流を所定電流値とした時の前記出力電圧の電圧値に基づいて前記電極先端までの経路上の合計抵抗値を算出する抵抗値算出手段と、
前記電極を短絡状態として行われ、前記インバータ回路の動作にて生じる前記出力電流を所定電流値とした時からの電流減衰量に基づいて前記電極先端までの経路上の合計インダクタンス値を算出するインダクタンス値算出手段とを備え、
前記電極の先端電圧を算出する先端電圧算出手段は、前記抵抗介挿期間以外の期間では、検出する前記出力電圧の電圧値に対して前記電極先端までの経路上の前記合計抵抗値及び前記合計インダクタンス値にかかる電圧変化分を補正して前記先端電圧を算出し、前記抵抗介挿期間では、検出する前記出力電圧の電圧値に対して前記電極先端までの経路上の前記合計抵抗値及び前記合計インダクタンス値に加え、同期間に介挿される前記抵抗の抵抗値を含む電圧変化分を補正して前記先端電圧を算出することを特徴とする溶接用電源装置。
【請求項２】
請求項１に記載の溶接用電源装置において、
前記先端電圧算出手段は、前記切替手段の動作に連動させて前記先端電圧の算出態様を切り替えることを特徴とする溶接用電源装置。
【発明の詳細な説明】
【技術分野】
【０００１】
本発明は、電極先端電圧の検出に基づいてフィードバック制御を実施する溶接用電源装置に関するものである。
【背景技術】
【０００２】
アーク溶接機等に用いる溶接用電源装置には、例えば特許文献１に開示のようなものがある。溶接用電源装置は、商用電源からの交流入力電力を整流した直流電力をインバータ回路にて高周波交流電力に変換し、溶接トランスにて電圧調整された高周波交流電力を整流回路と直流リアクトルとでアーク溶接に適した直流出力電力に変換している。電源装置にて生成された出力電力はトーチにて支持される電極に供給され、これにより電極先端と溶接対象との間にアークが生じて、溶接対象の溶接が行われるようになっている。
【０００３】
また、このような溶接用電源装置は、出力電流及び出力電圧の検出を行っており、制御装置は、その時々で検出された出力電流及び出力電圧をインバータ回路のＰＷＭ制御にフィードバックし、その時々の出力電力を適正値とする制御を実施することで、溶接性能の向上が図られている。
【０００４】
また、消耗電極式のアーク溶接機においては、電極先端と溶接対象との間で短絡とアークとが交互に繰り返される。出力電流（溶接電流）は、その短絡期間初期や後期で出力電流の減少が速やかでないと、短絡発生時やアーク発生時の電流値は大きく、スパッタが発生してしまう。
【０００５】
それを踏まえ、特許文献１に開示された技術では、短絡期間初期と後期に主電路上に抵抗を介挿させるように構成し、短絡期間中の出力電流の減少を急峻とすることで、スパッタの発生の低減が図られている。
【先行技術文献】
【特許文献】
【０００６】
【特許文献１】特開昭５９−２０６１５９号公報
【発明の概要】
【発明が解決しようとする課題】
【０００７】
ところで、好適なアークを生じさせるためには、電源装置内で検出する出力電圧をインバータ回路の制御値に反映させるのみならず、正にそのアークが生じている電極の先端電圧を検出し、検出した電極先端電圧を制御値に反映させるのが好ましい。
【０００８】
と言うのは、実際には溶接を行うトーチ（電極）と電源装置との間は離間していることが多く、両者間がパワーケーブルを介して接続されているのが一般的な使用形態である。従って、パワーケーブルのケーブル長が使用者毎に異なるため、ケーブル自体の抵抗値が異なるばかりか、ケーブルの敷設状態、例えば余長分を何周も周回させて敷設すると、直線的に敷設した場合や周回数の違いによってインダクタンス値も異なってくる。そのため、更なる溶接性能の向上を図るためには、パワーケーブルを含む電源装置外部の電極までの間での抵抗及びインダクタンスの電圧変動分が無視できないためである。
【０００９】
従って、電源装置内で検出する出力電圧をインバータ回路の制御値に反映させる態様では、真の電極先端電圧とは乖離した電圧値がインバータ回路の制御値に反映されることになり、このことが好適なアークの発生の妨げとなって、更なる溶接性能の向上の妨げとなることが懸念されるものである。
【００１０】
本発明は、上記課題を解決するためになされたものであって、その目的は、制御に用いる電極先端電圧を精度良く検出し、溶接性能の更なる向上に寄与することができる溶接用電源装置を提供することにある。
【課題を解決するための手段】
【００１１】
上記課題を解決するために、請求項１に記載の発明は、直流電力を高周波交流電力に変換するインバータ回路と、変換した交流電力の電圧調整を行う溶接トランスと、該溶接トランスの二次側交流電力から溶接に適した直流出力電力を生成する直流変換手段とを備え、生成した前記出力電力の電極への供給に基づいて溶接対象との間に溶接のためのアークを生じさせるものであり、出力電流を急峻に減少させるべく主電路上に抵抗を介挿するように切り替える切替手段と、装置内の検出手段にて検出した出力電流と出力電圧とに基づいて前記電極の先端電圧を算出し、算出した先端電圧に基づいて前記インバータ回路を制御する制御手段とを更に備えた溶接用電源装置であって、前記電極を短絡状態として行われ、前記インバータ回路の動作にて生じる前記出力電流を所定電流値とした時の前記出力電圧の電圧値に基づいて前記電極先端までの経路上の合計抵抗値を算出する抵抗値算出手段と、前記電極を短絡状態として行われ、前記インバータ回路の動作にて生じる前記出力電流を所定電流値とした時からの電流減衰量に基づいて前記電極先端までの経路上の合計インダクタンス値を算出するインダクタンス値算出手段とを備え、前記電極の先端電圧を算出する先端電圧算出手段は、前記抵抗介挿期間以外の期間では、検出する前記出力電圧の電圧値に対して前記電極先端までの経路上の前記合計抵抗値及び前記合計インダクタンス値にかかる電圧変化分を補正して前記先端電圧を算出し、前記抵抗介挿期間では、検出する前記出力電圧の電圧値に対して前記電極先端までの経路上の前記合計抵抗値及び前記合計インダクタンス値に加え、同期間に介挿される前記抵抗の抵抗値を含む電圧変化分を補正して前記先端電圧を算出することをその要旨とする。
【００１２】
この発明では、抵抗値算出手段では、電極を短絡状態として行われ、インバータ回路の動作にて生じる出力電流を所定電流値とした時の出力電圧の電圧値に基づいて電極先端までの経路上の合計抵抗値（装置内部及び外部の抵抗値）が算出される。インダクタンス値算出手段では、同じく電極を短絡状態として行われ、インバータ回路の動作にて生じる出力電流を所定電流値とした時からの電流減衰量に基づいて電極先端までの経路上の合計インダクタンス値（装置内部及び外部のインダクタンス値）が算出される。そして、先端電圧算出手段では、抵抗介挿期間以外の期間では、検出する出力電圧の電圧値に対して電極先端までの経路上の合計抵抗値及び合計インダクタンス値にかかる電圧変化分が補正されて先端電圧が算出され、抵抗介挿期間では、検出する出力電圧の電圧値に対して電極先端までの経路上の合計抵抗値及び合計インダクタンス値に加え、同期間に介挿される抵抗の抵抗値を含む電圧変化分が補正されて先端電圧が算出される。ここで用いる抵抗の抵抗値は合計抵抗値から見れば十分に大きいことから、抵抗介挿期間という限定された期間であっても、先端電圧の算出に用いる意義は大きい。従って、抵抗の介挿・非介挿が切り替えられても、全期間で適切なアーク溶接のための出力電力の生成が可能となる。
【００１３】
請求項２に記載の発明は、請求項１に記載の溶接用電源装置において、前記先端電圧算出手段は、前記切替手段の動作に連動させて前記先端電圧の算出態様を切り替えることをその要旨とする。
【００１４】
この発明では、先端電圧算出手段では、切替手段の動作に連動、即ち抵抗の介挿・非介挿の切り替えに連動させて先端電圧の算出態様が切り替えられるため、算出態様の切り替えを容易且つ適切に行うことが可能となる。
【発明の効果】
【００１５】
本発明によれば、制御に用いる電極先端電圧を適切に検出し、溶接性能の更なる向上に寄与することができる溶接用電源装置を提供することができる。
【図面の簡単な説明】
【００１６】
【図１】本実施形態における溶接用電源装置の構成を示す構成図である。
【図２】溶接用電源装置の動作を説明するための説明図である。
【図３】抵抗値及びインダクタンス値の算出手法を説明するための説明図である。
【発明を実施するための形態】
【００１７】
以下、本発明を具体化した一実施形態を図面に従って説明する。
図１は、消耗電極式のアーク溶接機１０を示す。アーク溶接機１０では、溶接用電源装置１１のプラス側出力端子にトーチＴＨにて支持されるワイヤ電極１２が接続され、該電源装置１１のマイナス側出力端子に溶接対象Ｍが接続され、該電源装置１１にて生成された直流出力電力がワイヤ電極１２に印加されることでアーク溶接が行われる。このとき、ワイヤ電極１２は溶接時に消耗するため、ワイヤ供給装置１３にて消耗に応じて送給がなされる。ワイヤ電極１２及び溶接対象Ｍには、電源装置１１の出力端子に接続されるパワーケーブル１４を介して出力電力が供給されるようになっている。
【００１８】
溶接用電源装置１１は、商用電源から供給される三相の交流入力電力をアーク溶接に適した直流出力電力に変換するものである。交流入力電力は、ダイオードブリッジ及び平滑コンデンサよりなる整流平滑回路２１にて直流電力に変換され、変換された直流電力はインバータ回路２２で高周波交流電力に変換される。インバータ回路２２は、ＩＧＢＴ等のスイッチング素子ＴＲを４個用いたブリッジ回路にて構成され、制御装置３１によるＰＷＭ制御が実施される。
【００１９】
インバータ回路２２にて生成された高周波交流電力は、溶接トランス２３にて所定電圧値に調整された二次側交流電力に変換される。溶接トランス２３の二次側交流電力は、ダイオードを用いた整流回路２４と直流リアクトル２５とで、アーク溶接に適した直流出力電力に変換される。
【００２０】
また、整流回路２４と直流リアクトル２５との間には、互いを直接接続状態とする第１経路か、抵抗２７を介した接続状態とする第２経路かを切り替える切替スイッチ（切替ＳＷ）２６が備えられる。切替スイッチ２６は、図２に示す短絡期間初期及び後期の所定期間Ｔａ，Ｔｂにオンからオフに、即ち該期間Ｔａ，Ｔｂにおいて直接接続から抵抗２７を介した接続状態に切り替えられ、短絡期間初期及び後期に生じる出力電流Ｉを急峻に減少させるべく動作する。切替スイッチ２６の切り替えは、制御装置３１にて行われる。
【００２１】
制御装置３１は、インバータ回路２２のスイッチング素子ＴＲに対しＰＷＭ制御を実施し、直流出力電力をその時々で適正値とする制御を行っている。このとき、制御装置３１は、その時々の出力電流Ｉ及び出力電圧Ｖの検出を行い、検出した出力電流Ｉ及び出力電圧Ｖに基づくＰＷＭ制御へのフィードバックを行っている。
【００２２】
即ち、電源装置１１内のマイナス側出力端子の電源線上に電流センサ３３が備えられており、制御装置３１は、処理部（ＣＰＵ）３２においてその電流センサ３３を介して電源装置１１の出力電流Ｉを検出している。また、整流回路２４の直後の電源線間に電圧センサ３４が備えられており、制御装置３１は、処理部３２においてその電圧センサ３４を介して電源装置１１の出力電圧Ｖを検出している。制御装置３１は、処理部３２にてその時々に検出した出力電流Ｉ及び出力電圧Ｖに基づいてＰＷＭ制御のデューティの算出を行い、インバータ回路２２に出力するＰＷＭ制御信号を生成する。
【００２３】
ここで、ＰＷＭ制御には、制御に用いる出力電圧Ｖとして、正にアークが生じるワイヤ電極１２の先端電圧Ｖａを用いるのが好ましいが、先端電圧Ｖａの直接的な検出は困難である。そこで、制御装置３１は、電圧センサ３４から電極１２までの間の電圧変化分を記憶装置（図示略）に予め保持しておき、その時々に検出した出力電圧Ｖにその電圧変化分の補正を行って先端電圧Ｖａを得るようにし、算出した先端電圧Ｖａを用いたＰＷＭ制御を実施する。
【００２４】
ところで、電圧センサ３４から電極１２までの間の電圧変化分には、電源装置１１内部の電圧変化分（整流回路２４から出力端子までの抵抗値Ｒ１とインダクタンス値Ｌ１による電圧変化分）と、外部の電圧変化分（出力端子からパワーケーブル１４を介しての電極１２先端までの抵抗値Ｒ２とインダクタンス値Ｌ２による電圧変化分）とがある。電源装置１１の内部電圧変化分は、使用状態の影響を受けないために予め補正項として先端電圧Ｖａの算出に組み込むことが可能であるが、外部電圧変化分は、パワーケーブル１４のケーブル長や敷設状態（直線敷設や周回敷設、その周回数）等、使用者毎に条件が相違するため、抵抗値Ｒ２、特にインダクタンス値Ｌ２の変化の影響を大きく受ける。
【００２５】
そのため、使用者がアーク溶接機１０を現場に設置し、パワーケーブル１４の敷設も含めて正に使用状態としたところで、内部の抵抗値Ｒ１及びインダクタンス値Ｌ１と、外部の抵抗値Ｒ２及びインダクタンス値Ｌ２とを合計した抵抗値Ｒ及びインダクタンス値Ｌが測定される。測定した合計抵抗値Ｒ及び合計インダクタンス値Ｌは、制御装置３１内に保持される。
【００２６】
また、制御装置３１は、短絡期間とアーク期間との検出を出力電圧Ｖの変化等から行っており、図２に示す短絡期間初期（短絡発生直後）、及び短絡期間後期（アーク発生直前）の所定期間Ｔａ，Ｔｂを把握できるようになっている。制御装置３１は、短絡中の所定期間Ｔａ，Ｔｂ以外では切替スイッチ２６をオンさせて整流回路２４と直流リアクトル２５とを直接接続状態とし、該期間Ｔａ，Ｔｂでは切替スイッチ２６をオフさせて整流回路２４と直流リアクトル２５との間に抵抗２７を介挿させるように制御する。つまり、短絡期間において出力電流Ｉが減少する際、制御装置３１はその出力電流Ｉの減少を急峻として短絡発生時やアーク発生時の電流値を抑制し、スパッタの発生の低減を図っている。
【００２７】
因みに、抵抗２７は、その抵抗値ｒが合計抵抗値Ｒの十数倍程度のものが使用されている。例えば、合計抵抗値Ｒが０．０３［Ω］に対して、抵抗２７の抵抗値ｒは０．３［Ω］である。そして、制御装置３１は、抵抗２７の抵抗値ｒも制御装置３１内に保持しており、その時々に検出した出力電圧Ｖに対して抵抗値ｒにかかる電圧変化分も加味して補正を行い、先端電圧Ｖａを得るようにしている。これは、抵抗２７の抵抗値ｒが所定期間Ｔａ，Ｔｂにのみ関与するものであってもその抵抗の大きさが合計抵抗値Ｒよりも十分に大きいため、先端電圧Ｖａの算出には考慮する必要があるためである。
【００２８】
本実施形態の電源装置１１には、前記合計抵抗値Ｒ及び合計インダクタンス値Ｌを測定する測定モードが備えられており、スイッチ等の選択に基づいて制御装置３１が測定モードに移行できるようになっている。測定モードでの測定時においては、ワイヤ電極１２の先端が溶接対象Ｍと短絡状態として行う。因みに、電極１２の短絡は、溶接対象Ｍと直接的な短絡を行わず、電極１２を支持するトーチＴＨの先端部分（ワイヤを除く給電部分）を溶接対象Ｍと短絡させて行う。この場合、短絡用の特殊治具を作製して対応してもよい。また、ワイヤ電極１２の代用としてコンタクト用電極を用いて短絡させてもよい。
【００２９】
以降は、制御装置３１の測定モードを中心に説明する。
図３に示すように、先ずインバータ回路２２を動作させて、出力電流Ｉが電流値Ｉｐまで増大され、電流値Ｉｐで保持した区間での平均電圧値Ｖｅが測定される。これにより、先ず合計抵抗値Ｒが次式（ａ）にて算出される。
【００３０】
Ｒ＝Ｖｅ／Ｉｐ  ・・・  （ａ）
次いで、インバータ回路２２の動作を停止させて、この時の時刻Ｔ０から計時が開始される。同時に、時刻Ｔ０を起点に刻々と変化する出力電流Ｉのサンプリングが行われ、時定数に該当する電流減衰量となる電流値ΔＩｐ（Ｉｐ×３６．８％）に到達した時刻をＴ１とし、その時刻Ｔ１−Ｔ０間の時間（時定数）τが求められる。これにより、合計インダクタンス値Ｌが次式（ｂ）にて算出される。
【００３１】
Ｌ＝Ｒ・τ（＝Ｖｅ・τ／Ｉｐ）  ・・・  （ｂ）
このように算出された合計インダクタンス値Ｌと、先に求めた合計抵抗値Ｒとが制御装置３１内に保持される。以上で、測定モードが終了する。
【００３２】
因みに、具体的数値で示すと、インバータ回路２２のオンに基づいて出力電流Ｉの電流値Ｉｐ＝４００［Ａ］を１０［ｍｓ］間出力させ、その後、インバータ回路２２をオフさせる。この間の平均電圧値Ｖｅが４［Ｖ］であると、上記式（ａ）から、
Ｒ＝Ｖｅ／Ｉｐ＝４／４００＝０．０１［Ω］
と合計抵抗値Ｒが算出される。
【００３３】
次いで、電流値Ｉｐが時定数τに相当する電流減衰量となる電流値ΔＩｐは、
ΔＩｐ＝４００×０．３６８＝１４７［Ａ］
であり、インバータ回路２２をオフしてから出力電流Ｉが４００［Ａ］からその１４７［Ａ］に達するその時定数τが３［ｍｓ］であれば、上記式（ｂ）から、
Ｌ＝Ｒ・τ＝０．０１×３＝０．０３［ｍＨ］
直流リアクトル２５を含む合計インダクタンス値Ｌが算出される。
【００３４】
そして、制御装置３１は、溶接動作時において、保持した合計インダクタンス値Ｌと合計抵抗値Ｒ、及び予め把握している抵抗２７の抵抗値ｒを用い、その時々の出力電流Ｉ及び出力電圧Ｖから次式（ｃ）（ｄ）にて先端電圧Ｖａを算出している（図２参照）。
【００３５】
Ｖａ＝Ｖ−Ｌ・ｄＩ／ｄｔ−ＲＩ  ・・・  （ｃ）
Ｖａ＝Ｖ−Ｌ・ｄＩ／ｄｔ−（Ｒ＋ｒ）Ｉ  ・・・  （ｄ）
上記式（ｃ）は、短絡中の所定期間Ｔａ，Ｔｂ以外の期間で用いる先端電圧Ｖａの算出のための式であり、上記式（ｄ）は、該期間Ｔａ，Ｔｂで用いる先端電圧Ｖａの算出のための式である。尚、制御装置３１は、上記式（ｄ）のみを用い、短絡中の所定期間Ｔａ，Ｔｂ以外の期間では、ｒ＝０としてもよい。
【００３６】
このように本実施形態の溶接用電源装置１１では、抵抗２７を主電路上に介挿しない短絡中の所定期間Ｔａ，Ｔｂ以外の期間ではｒ項のない式（ｃ）を用い、また抵抗２７を主電路上に介挿する同期間Ｔａ，Ｔｂではｒ項のある式（ｄ）を用いて先端電圧Ｖａが適切に算出されるため、この先端電圧Ｖａに基づいてインバータ回路２２が好適に制御される。従って、抵抗２７の介挿・非介挿が切り替えられても、全期間で適切なアーク溶接用の直流出力電力の生成ができるものとなっている。
【００３７】
次に、本実施形態の特徴的な作用効果を記載する。
（１）制御装置３１の測定モードにおいて、合計抵抗値Ｒ（内部抵抗値Ｒ１＋外部抵抗値Ｒ２）及び合計インダクタンス値Ｌ（内部インダクタンス値Ｌ１＋外部インダクタンス値Ｌ２）を測定する際には、ワイヤ電極１２（代用する電極も含む）が上記の手法で短絡状態として行われる。合計抵抗値Ｒは、インバータ回路２２の動作にて生じる出力電流Ｉを所定電流値Ｉｐとした時の出力電圧Ｖの電圧値（平均電圧Ｖｅ）に基づいて算出される。合計インダクタンス値Ｌは、インバータ回路２２の動作にて生じる出力電流Ｉを所定電流値Ｉｐとした時からの電流減衰量に基づいて算出される。このようにして得られた合計抵抗値Ｒ及び合計インダクタンス値Ｌに加え、抵抗２７の抵抗値ｒは制御装置３１内に保持される。そして、制御装置３１は、溶接動作時において、短絡中の所定期間Ｔａ，Ｔｂ以外の期間では、検出する出力電圧Ｖの電圧値に対して合計抵抗値Ｒ及び合計インダクタンス値Ｌにかかる電圧変化分の補正を行い、先端電圧Ｖａを算出する。また、抵抗２７を介挿する短絡中の所定期間Ｔａ，Ｔｂでは、制御装置３１は、検出する出力電圧Ｖの電圧値に対して合計抵抗値Ｒ及び合計インダクタンス値Ｌに加え、同期間Ｔａ，Ｔｂに介挿される抵抗２７の抵抗値ｒを含む電圧変化分の補正を行い、先端電圧Ｖａを算出する。ここで用いる抵抗２７の抵抗値ｒは合計抵抗値Ｒから見れば十分に大きいことから、抵抗２７を介挿する短絡中の所定期間Ｔａ，Ｔｂという限定された期間であっても、先端電圧Ｖａの算出に用いる意義は大きい。従って、抵抗２７の介挿・非介挿が切り替えられても、全期間で適切なアーク溶接のための出力電力を生成でき、溶接性能の更なる向上に寄与することができる。
【００３８】
（２）先端電圧Ｖａの算出時における抵抗２７の抵抗値ｒを含む補正が、その抵抗２７を介挿させる短絡中の所定期間Ｔａ，Ｔｂの両期間で行われる本実施形態は、全期間でより適切な出力電力を生成できる好ましい態様である。
【００３９】
（３）制御装置３１は、切替スイッチ２６の動作に連動、即ち抵抗２７の介挿・非介挿の切り替えに連動させて先端電圧Ｖａの算出態様を切り替えている。そのため、先端電圧Ｖａの算出態様の切り替えを容易且つ適切に行うことができる。
【００４０】
尚、本発明の実施形態は、以下のように変更してもよい。
・上記実施形態では、先端電圧Ｖａの算出時において、抵抗２７の抵抗値ｒを含む補正を短絡中の所定期間Ｔａ，Ｔｂの両期間で行うようにしたが、抵抗値ｒを含む補正を期間Ｔａ，Ｔｂのいずれか一方としてもよい。このようにしても、一定の効果を得ることが可能である。また、短絡中の所定期間Ｔａ，Ｔｂ以外で抵抗２７を介挿する期間を設定した場合、その新たに設定した期間に抵抗値ｒを含む補正を行うようにしてもよい。
【００４１】
・上記実施形態では、インダクタンス値が固定の直流リアクトル２５を用いたが、例えば低電流領域において電流値の減少に伴ってインダクタンス値が次第に大きくなる過飽和特性を有するリアクトルを用いてもよい。この場合、複数の電流値に対するインダクタンス値を複数点検出し、これらからインダクタンス値の関数を求め、インダクタンス値の関数を先端電圧Ｖａの算出に用いる。
【００４２】
・上記実施形態では、合計抵抗値Ｒの算出において、インダクタンス値Ｌを検出すべく出力電流Ｉを電流値Ｉｐに設定した際に、その時の出力電圧Ｖの電圧値（平均電圧値Ｖｅ）からその算出を行ったが、合計抵抗値Ｒの算出のために出力電流Ｉの電流値を別途設定してもよい。
【００４３】
・上記実施形態では、図１の如くインバータ回路２２、溶接トランス２３、直流変換手段（整流回路２４、直流リアクトル２５）等にて電源装置１１を構成したが、これら各回路構成を適宜変更してもよい。また、抵抗２７と切替スイッチ２６との接続態様を適宜変更してもよい。
【符号の説明】
【００４４】
１１      溶接用電源装置
１２      ワイヤ電極（電極）
２２      インバータ回路
２３      溶接トランス
２４      整流回路（直流変換手段）
２５      直流リアクトル（直流変換手段）
２６      切替スイッチ（切替手段）
２７      抵抗
３１      制御装置（制御手段、先端電圧算出手段、抵抗値算出手段、インダクタンス値算出手段）
３３      電流センサ（検出手段）
３４      電圧センサ（検出手段）
Ｍ        溶接対象
Ｉ        出力電流
Ｉｐ      電流値
Ｖ        出力電圧
Ｖａ      先端電圧
Ｒ        合計抵抗値
ｒ        抵抗値
Ｌ        合計インダクタンス値
Ｔａ      短絡期間初期（抵抗介挿期間）
Ｔｂ      短絡期間後期（抵抗介挿期間）
【図１】
2012101231.tif 000003
【図２】
2012101231.tif 000004
【図３】
2012101231.tif 000005